【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
複数のコンテンツを各コンテンツに付加されたメタデータに基づいて表示するコンテンツ表示装置であって、
前記複数のコンテンツを前記メタデータに基づいてグループ毎に階層化する階層化手段と、
前記階層化手段により階層化された複数のコンテンツの夫々を表すアイコン、若しくは前記グループを表すアイコンを配列して表示装置に表示させる表示制御手段と、
前記表示制御手段で表示させたアイコンに対してスクロールが指示された場合に、当該アイコンが所属する階層のアイコンをスクロール表示させるスクロール制御手段と、
スクロール速度を変更する速度変更手段と、
前記速度変更手段により変更されたスクロール速度に基づき、スクロールさせるアイコンを他階層のアイコンに切替える切替え手段と、
を有することを特徴とするコンテンツ表示装置。
【請求項２】
前記コンテンツを表すアイコンは、少なくとも、コンテンツ本体、該コンテンツを縮小表示した画像、該コンテンツを認識できる画像の何れかであることを特徴とする請求項１に記載のコンテンツ表示装置。
【請求項３】
前記グループを表すアイコンは、少なくとも、グループ内の代表コンテンツ、グループ内の１つ又は複数のコンテンツを表示した画像、グループを認識できる画像の何れかであることを特徴とする請求項１に記載のコンテンツ表示装置。
【請求項４】
前記切替え手段は、前記スクロールが指示されたアイコンが所属する階層のアイコンをスクロール表示させている際に、前記速度変更手段により所定速度を超えるスクロール速度に変更された場合、スクロールさせるアイコンを上位階層のアイコンに切替えることを特徴とする請求項１に記載のコンテンツ表示装置。
【請求項５】
前記表示制御手段は、前記スクロールが指示されたアイコンが所属する階層のアイコンをスクロール表示させている際に前記速度変更手段によりスクロール速度が加速された場合、前記各アイコンを表示装置に表示させる時間間隔を短くするようにし、前記切替え手段は、前記各アイコンを表示させる時間間隔が一定時間より短くなった際に、スクロールさせるアイコンを上位階層のアイコンに切替えることを特徴とする請求項１に記載のコンテンツ表示装置。
【請求項６】
前記表示制御手段は、
表示されているコンテンツを表すアイコンか、グループを表すアイコンの１つを基準アイコンとして設定する手段と、
スクロールによって表示が切り替わる毎に該基準アイコンをスクロール方向にシフトさせていく手段と、
該スクロールさせている階層の上位階層のグループを表すアイコンをスクロールするように切替える際に、そのときの基準アイコン、基準アイコンの次に配列されているアイコンが示すコンテンツ、若しくはグループが属する上位階層のグループを表すアイコンを基準アイコンとして表示されるように切替える手段とを制御することを特徴とする請求項４に記載のコンテンツ表示装置。
【請求項７】
前記切替え手段は、前記スクロールが指示されたアイコンが所属する階層のアイコンをスクロール表示させている際に前記速度変更手段により所定速度を下回るスクロール速度に変更された場合、スクロールさせるアイコンを下位階層のアイコンに切替えることを特徴とする請求項１に記載のコンテンツ表示装置。
【請求項８】
前記表示制御手段は、前記スクロールが指示されたアイコンが所属する階層のアイコンをスクロール表示させている際に前記速度変更手段によりスクロール速度が減速された場合、前記各アイコンを表示装置に表示させる時間間隔を長くするようにし、前記切替え手段は、前記各アイコンを表示させる時間間隔が一定時間より長くなった際に、スクロールさせるアイコンを下位階層のアイコンに切替える手段とを制御することを特徴とする請求項１に記載のコンテンツ表示装置。
【請求項９】
前記切替え手段は、前記スクロールが一定時間停止されると、表示するアイコンを下位階層のアイコンに切替えることを特徴とする請求項１に記載のコンテンツ表示装置。
【請求項１０】
前記切替え手段は、前記スクロールが停止されると、表示するアイコンを下位階層のアイコンに切り替え、最下位の階層まで順に切替えることを特徴とする請求項１に記載のコンテンツ表示装置。
【請求項１１】
複数のコンテンツを各コンテンツに付加されたメタデータに基づいて表示するコンテンツ表示装置であって、
前記複数のコンテンツを前記メタデータに基づいてグループに階層化する階層化手段と、
前記階層化手段により階層化された複数のコンテンツの夫々を表すアイコンを表示装置に表示させる表示制御手段と、
前記表示制御手段で表示させたアイコンに対してスクロールが指示された場合に、そのスクロールの速度に基づいてコンテンツが属するグループの階層を選択し、選択した階層を示す情報をインジケータとして表示させるインジケータ表示手段と、
を有することを特徴とするコンテンツ表示装置。
【請求項１２】
前記インジケータ表示手段は、前記スクロールの速度が増加した場合、上位の階層を示す情報をインジケータとして表示させることを特徴とする請求項１１に記載のコンテンツ表示装置。
【請求項１３】
前記インジケータ表示手段は、前記スクロールの速度が低下した場合、前記階層化された下位の階層を示す情報をインジケータとして表示させることを特徴とする請求項１１に記載のコンテンツ表示装置。
【請求項１４】
前記スクロールの速度を検知する検知手段を更に有し、前記検知手段で検知した速度に基づいて前記スクロールの速度が増加したのか低下したのかを決定することを特徴とする請求項１３に記載のコンテンツ表示装置。
【請求項１５】
複数のコンテンツを各コンテンツに付加されたメタデータに基づいて表示するコンテンツ表示装置の表示方法であって、
階層化手段が、前記複数のコンテンツを前記メタデータに基づいてグループ毎に階層化する階層化工程と、
表示制御手段が、前記階層化された複数のコンテンツの夫々を表すアイコン、若しくは前記グループを表すアイコンを表示装置に表示させる表示制御工程と、
スクロール制御手段が、前記表示制御工程で表示させたアイコンに対してスクロールが指示された場合に、当該アイコンが所属する階層のアイコンをスクロール表示させるスクロール制御工程と、
変更手段が、スクロールの速度を変更する変更工程と、
切替え手段が、変更されたスクロール速度に基づき、スクロールさせるアイコンを他階層のアイコンに切替える切替え工程と、
を有することを特徴とするコンテンツ表示装置の表示方法。
【請求項１６】
複数のコンテンツを各コンテンツに付加されたメタデータに基づいて表示するコンテンツ表示装置の表示方法であって、
階層化手段が、前記複数のコンテンツを前記メタデータに基づいてグループ毎に階層化する階層化工程と、
表示制御手段が、前記階層化された複数のコンテンツの夫々を表すアイコンを表示装置に表示させる表示制御工程と、
インジケータ表示手段が、前記表示制御工程で表示させたアイコンに対してスクロールが指示された場合に、そのスクロールの速度に基づいてコンテンツが属するグループの階層を選択し、選択した階層を示す情報をインジケータとして表示させるインジケータ表示工程と、
を有することを特徴とするコンテンツ表示装置の表示方法。
【請求項１７】
コンピュータを請求項１乃至１４の何れか１項に記載のコンテンツ表示装置の各手段として機能させるためのプログラム。
【請求項１８】
請求項１７に記載のプログラムを記録したコンピュータ読み取り可能な記録媒体。
【手続補正２】
【補正対象書類名】明細書
【補正対象項目名】００２７
【補正方法】変更
【補正の内容】
【００２７】
本発明は、複数のコンテンツを各コンテンツに付加されたメタデータに基づいて表示するコンテンツ表示装置であって、前記複数のコンテンツを前記メタデータに基づいてグループ毎に階層化する階層化手段と、前記階層化手段により階層化された複数のコンテンツの夫々を表すアイコン、若しくは前記グループを表すアイコンを配列して表示装置に表示させる表示制御手段と、前記表示制御手段で表示させたアイコンに対してスクロールが指示された場合に、当該アイコンが所属する階層のアイコンをスクロール表示させるスクロール制御手段と、スクロール速度を変更する速度変更手段と、前記速度変更手段により変更されたスクロール速度に基づき、スクロールさせるアイコンを他階層のアイコンに切替える切替え手段と、
を有することを特徴とする。
【手続補正３】
【補正対象書類名】明細書
【補正対象項目名】００２８
【補正方法】変更
【補正の内容】
【００２８】
また、本発明は、複数のコンテンツを各コンテンツに付加されたメタデータに基づいて表示するコンテンツ表示装置であって、前記複数のコンテンツを前記メタデータに基づいてグループに階層化する階層化手段と、前記階層化手段により階層化された複数のコンテンツの夫々を表すアイコンを表示装置に表示させる表示制御手段と、前記表示制御手段で表示させたアイコンに対してスクロールが指示された場合に、そのスクロールの速度に基づいてコンテンツが属するグループの階層を選択し、選択した階層を示す情報をインジケータとして表示させるインジケータ表示手段と、を有することを特徴とする。